(57)【要約】【課題】従来技術の欠点を克服する装置および方法を提供する。【解決手段】シート取り扱い装置１は、シート３を切断して書類３ａ、３ｂを画定する切断部５に、シート３を移送する接続モジュールと、書類３ａ、３ｂを切断部５から受け取り、かつそれらを排出装置８に送る受取部７とを備える。受取部７は、書類３ａ、３ｂが、プリンタ４によって印刷され、かつ続いてそれらが印刷された順序を維持しながら取り扱われるように、プリンタ４にインラインで直接接続可能である。シート取り扱い方法は、シート３を切断して書類３ａ、３ｂを分離することと、切断された書類３ａ、３ｂを収集することと、それらを後続の処理で利用可能にすることとからなる。書類３ａ、３ｂがプリンタ４によって印刷され、続いてそれらが印刷された順序を維持しながら取り扱われるように、紙が、プリンタ４からプリンタ４とインラインにある装置に直接送られる。【選択図】図５
2008018708.tif 000002
【特許請求の範囲】
【請求項１】
シート（３）を切断して書類（３ａ、３ｂ）を画定する切断部（５）にシート（３）を移送する接続モジュールと、書類（３ａ、３ｂ）を切断部（５）から受け取り、書類（３ａ、３ｂ）を排出装置（８）に送る受取部（７）とを備える、シート取り扱い装置（１）であって、書類（３ａ、３ｂ）が、プリンタ（４）によって印刷され、続いて書類が印刷された順序を維持しながら取り扱われるように、前記受取部（７）が、プリンタ（４）にインラインに直接接続可能であることを特徴とする、シート取り扱い装置。
【請求項２】
前記受取部（７）が、書類（３ａ、３ｂ）を水平方向に接して積み重ねるように構成されることを特徴とする、請求項１に記載の装置（１）。
【請求項３】
前記切断部（５）が、前記シート（３）を２つ以上の部分に切断して、等しいまたは異なった寸法の書類（３ａ、３ｂ）を形成するように構成されることを特徴とする、請求項１に記載の装置（１）。
【請求項４】
前記受取部（７）が、前記書類（３ａ、３ｂ）を２つ以上の束（９）に積み重ねるように構成されることを特徴とする、請求項１に記載の装置（１）。
【請求項５】
前記排出装置（８）が、書類の束（９）を、書類（３ａ、３ｂ）が処理中に進行する方向に対して、好ましくは９０°だけ傾いた方向に送るように構成されることを特徴とする、請求項１に記載の装置（１）。
【請求項６】
前記シート取り扱い装置（１）の上流側に位置決めされたプリンタ（４）とインタフェース接続された制御手段（１１）を備え、該制御手段が、前記受取部（７）のオフセット機能、および／または書類の束（９）の排出、および／またはプリンタ（４）および／またはシート取り扱い装置（１）のエラーによって起こった停止の後の自動サイクルの回復を実行するように構成されることを特徴とする、請求項１に記載の装置（１）。
【請求項７】
書類の束（９）が、自動書類形成システムを実装する仕上機（１０）に自動的に送られることを特徴とする、請求項４に記載の装置（１）。
【請求項８】
前記切断部（５）によって既に切断された書類（３ａ、３ｂ）を、縦方向に切断するように構成されたトリミング装置（１３）を備え、前記トリミング装置（１３）が、切断部（５）と受取部（７）との間に配置されることを特徴とする、請求項１に記載の装置（１）。
【請求項９】
前記トリミング装置（１３）が、書類（３ａ、３ｂ）を縦方向に切断するように構成される１つ以上の円形刃を備えることを特徴とする、請求項８に記載の装置（１）。
【請求項１０】
欠陥シートを阻止しかつ廃棄する部材を備えることを特徴とする、請求項１に記載の装置（１）。
【請求項１１】
切断部（５）と受取部（７）との間に位置決めされて、受取部の排出ステップおよびオフセットステップ中に変換された書類を蓄積する、中間収集部材を備えることを特徴とする、請求項１に記載の装置（１）。
【請求項１２】
シート取り扱い装置の動作を制御し、かつ切断部による切断動作と追加の搬送装置による積み重ね動作との迂回を実行する、制御手段（１１）を備えることを特徴とする、請求項１に記載の装置（１）。
【請求項１３】
前記制御手段（１１）は、システムを備え、該システムは、プリンタによってシートに印刷された制御コードを感知して、制御および／または機械動作が書類上で実施されるのを可能にすることを特徴とする、請求項１２に記載の装置（１）。
【請求項１４】
格納要素（５０）を備え、該格納要素（５０）は、閉鎖経路（５１）を有し、書類を受け取りかつ格納して、要求に応じて書類を放出するように構成されることを特徴とする、請求項１に記載の装置（１）。
【請求項１５】
前記閉鎖経路（５１）が、円形経路（５１）を画定するように円形に配置された複数対のローラ（５２、５３）によって画定されることを特徴とする、請求項１４に記載の装置（１）。
【請求項１６】
前記閉鎖経路（５１）が、横方向に隣接したローラ同士の間に配置された曲線を成す案内部（５５、５６）によって画定されることを特徴とする、請求項１５に記載の装置（１）。
【請求項１７】
前記ローラ（５２、５３）が、回転可能であり、かつ少なくも１つのモータ（５７）によって作動されることを特徴とする、請求項１５に記載の装置（１）。
【請求項１８】
前記格納要素（５０）が、書類を捕捉し、そこから排出する手段を備え、該手段は、少なくとも１つの旋回可能な案内部（６１）を備え、該案内部（６１）は、書類が格納要素（５０）によって捕捉される捕捉位置と、書類が格納要素（５０）によって排出される排出位置と、書類が格納要素（５０）内で移動することができ、または搬送部（６３）で移動することができ、格納要素によって捕捉も排出もされずに、格納要素に打ち勝つ迂回位置とをとるように構成されることを特徴とする、請求項１４に記載の装置（１）。
【請求項１９】
シート取り扱い方法であって、シート（３）を切断して書類（３ａ、３ｂ）を分離することと、切断された書類（３ａ、３ｂ）を収集することと、切断された書類を後続の処理で利用可能にすることとからなり、書類（３ａ、３ｂ）が、プリンタ（４）によって印刷され、続いて書類が印刷された順序を維持しながら取り扱われるように、プリンタ（４）から前記プリンタ（４）とインラインの装置（１）に紙を直接送ることを特徴とする、シート取り扱い方法。
【請求項２０】
印刷の順序を維持しながら、書類（３ａ、３ｂ）を水平方向に接して積み重ねることによって収集が達成されて、複合書類を連続的に生産することを特徴とする、請求項１９に記載のシート取り扱い方法。
【請求項２１】
前記シート（３）が、等しいまたは異なった寸法の２つ以上の書類（３ａ、３ｂ）に分割されることを特徴とする、請求項１９に記載の方法。
【請求項２２】
前記切断された書類（３ａ、３ｂ）が、単一または多数の束（９）に積み重ねられることを特徴とする、請求項２０に記載の方法。
【請求項２３】
切断後、書類（３ａ、３ｂ）のそれぞれが異なった束（９）に積み重ねられることを特徴とする、請求項２０に記載の方法。
【請求項２４】
切断後、書類（３ａ、３ｂ）の全てが、同じ束（９）に積み重ねられることを特徴とする、請求項２０に記載の方法。
【請求項２５】
オフセット機能を実施することによって、書類（３ａ、３ｂ）が積み重ねられることを特徴とする、請求項２０に記載の方法。
【請求項２６】
切断ステップが迂回されることを特徴とする、請求項１９に記載の方法。
【請求項２７】
積み重ねステップが迂回されることを特徴とする、請求項２０に記載の方法。
【請求項２８】
それぞれが単一の複合書類からなる、複合書類の連続した作業が作り出されることを特徴とする、請求項１９に記載の方法。
【請求項２９】
作業中の書類を書類生産ラインに一時的に格納する格納要素（５０）であって、閉鎖経路（５１）を有し、書類を受け取りかつ格納し、書類を要求に応じて放出するように構成される、格納要素（５０）。
【請求項３０】
前記閉鎖経路（５１）が、円形経路を画定するように円形に配置された複数対のローラ（５２、５３）によって画定されることを特徴とする、請求項２９に記載の格納要素（５０）。
【請求項３１】
前記閉鎖経路（５１）が、横方向に隣接するローラ間に配置された曲線をなす案内部によって画定されることを特徴とする、請求項３０に記載の格納要素（５０）。
【請求項３２】
前記ローラ（５２、５３）が、回転可能であり、かつ少なくとも１つのモータによって作動されることを特徴とする、請求項３０に記載の格納要素（５０）。
【請求項３３】
書類を捕捉しかつ排出する手段を備え、該手段が、少なくとも１つの旋回可能な案内部（６１）を備え、該案内部（６１）は、書類が格納要素（５０）によって捕捉される捕捉位置と、書類が格納要素（５０）によって排出される排出位置と、書類が格納要素（５０）内で移動することができ、または搬送部（６３）で移動することができ、格納要素（５０）によって捕捉も排出もされずに、格納要素（５０）に打ち勝つ迂回位置とをとるように構成されることを特徴とする、請求項２９に記載の格納要素（５０）。
【発明の詳細な説明】
【技術分野】
【０００１】
本発明は、デジタルシートプリンタから出る印刷されたシートを取り扱う装置および方法に関し、プリンタとインラインに直接接続されることができ、いくつかの単一ページまたは複数ページの書類（ｄｏｃｕｍｅｎｔ）を含む様々な形式のシートを印刷する統合システムと、シート移動方向に対して横断方向に切断することにより、また横断方向の切断に続く他の動作により、それらの書類への変換とを得る。
【背景技術】
【０００２】
プリンタによって作り出されるシートは、異なった形式を有してよく、一定または可変枚数のページから作られる１つ以上の書類のページを構成する本文と画像を含むことができる。
【０００３】
この取り扱い装置および方法は、プリンタ内で紙が右から左に移動するデジタルシートプリンタと、プリンタ内で紙が左から右に移動するデジタルシートプリンタとの両方に適用可能である。
【０００４】
知られているように、極めて多様な分野および世界中に属する多くの企業が、産業用デジタルシートプリンタ、即ち高い印刷速度（例えば通常Ａ４形式で給料袋を印刷する速度）を有するプリンタを使用している。それらプリンタは、企業が、Ａ４形式の書類２つをＡ３形式のシートに印刷するのを可能にするプリンタおよび印刷方法を有しているにもかかわらず、Ａ４形式のシートを印刷してＡ４形式の書類を作り出す。その理由は、単一書類の一貫性と、印刷書類が印刷された順序とを維持しながら、Ａ３形式のシートをＡ４形式の書類に変換することが可能なプリンタに統合される装置がないためである。
【０００５】
それにもかかわらず、産業用プリンタの製造会社は、プリンタの使用者に、（印刷形式に関わらず）印刷されたシートの枚数に比例する一定料金を課している。
【０００６】
こうした理由から、本出願人のイタリア国特許出願公開第２００４Ａ００１５４０号は、所望の複数書類が同時に１枚の単一シートに印刷され、次いでそのシートが２つの部分に切断されて、単一シートまたは複数シートからなる複数の書類が得られ、書類が、それらが印刷された順序を維持しながら積み重ねられるのを可能にする、装置および方法を開示している。
【０００７】
この装置および方法は、書類（即ち切断されたシート）を収集し、かつ垂直方向（即ち、それらの上下の境界の一方であって、どのような場合もその面の一方ではない）に積み重ねることを開示する。
【０００８】
これによって、いくつかの実際的な利点が達成されるが、これは実施される装置および方法に固定構造を与え、そのことによって、いくつかの機械の型と、印刷の下流側での処理とに対してだけ、書類の流れが特定のニーズに構成されることを可能にするが、これは、印刷後の処理のための複数の機械に対しては、プリンタとインラインに統合されることができず、またオフラインで作動することができず、したがって統合されることはできない。
【特許文献１】イタリア国特許出願第２００４Ａ００１５４０号明細書
【特許文献２】イタリア国特許第１２４４７７０号明細書
【発明の開示】
【発明が解決しようとする課題】
【０００９】
したがって、本発明の技術的目的は、従来技術の上述の欠点を克服する装置および方法を提供することである。
【００１０】
この技術的目的の枠組み内で、本発明の目的は、上流側でデジタルシートプリンタに、および装置自体の下流側で他の装置および／または機械に直接接続可能な装置を提供することであり、印刷後の極めて柔軟な動作および方法を可能にすると同時に、デジタルシートプリンタが、デジタルシート印刷が使用される極めて多様な分野の多数の用途に対してそれらの印刷の汎用性を完全に活用できることを可能にする。
【００１１】
より詳しくは、本発明によると、取り扱い中のシート（Ａ３またはＡ３形式以外のもの）を、書類（Ａ４またはＡ４形式以外のもの）に変換するように様々な形に切断することができ、あるいは切断ステップを迂回し、書類（即ち切断されたシート）を、特定の要件に応じて異なった形で収集することができる。
【００１２】
本発明の他の目的は、下流側の方法および機械に適合可能な装置および方法を提供することである。
【００１３】
例えば、本発明によると、書類は、重ねて収集され、これら書類の束の流れを、プリンタ（例えば、頻繁な連続した停止と開始に対応することができない場合がある）の特徴、および／または例えば、シートを特定の方向または所定の方法で送ることを必要とする場合がある、下流側の機械または方法の特定の必要性に適合することができる。
【課題を解決するための手段】
【００１４】
この技術的目的は、これらおよび他の目的と共に、本発明によって特許請求の範囲による装置および方法によって達成される。
【００１５】
本発明のさらなる特徴および利点が、添付の図面の非限定的例によって示される、本発明の装置および方法の好ましい非限定的実施形態についての以下の記述から、より明らかになろう。
【発明を実施するための最良の形態】
【００１６】
図面を参照すると、これら図面は、参照符号１によって全体を示すシート取り扱い装置を示している。
【００１７】
装置１は、位置合わせ部を備えたシート３を移送するプリンタ接続モジュール２を備え、このプリンタ接続モジュールは、前記シート３を産業用デジタルシートプリンタ４から受け取り、それらシート３を切断部５（例えば、電子制御された往復運動を行う直線刃およびカウンタ刃タイプのもの）に送る。切断部５は、シート３を横断方向に（プリンタから出てくるシートが移動する方向に対して９０°に）切断し、２つ以上の書類３ａ、３ｂを作り出す（この記述では、「書類」という用語は、切断された任意のシートを意味し、そのような書類３ａ、３ｂを組み合わせて、複数ページを備える複合書類を作り出すことができる）。後者（切断部５）から書類３ａ、３ｂが、受取部７に送られる。受取部７は、それらを受け取り、それらの印刷の順序を維持しながらそれらを積み重ね、それらを排出装置８に移送する。受取部は、プリンタにインラインで直接接続可能であって、書類が、プリンタによって印刷され、続いて書類が印刷された順序を維持しながら取り扱われる。
【００１８】
受取部７は、書類３ａ、３ｂを、水平方向に接してそれらの印刷された順序が維持された状態で積み重ねるが、これを、３つの書類の束９を示す図５に示す。
【００１９】
切断部５は、シート３を、等しいまたは異なった寸法の書類３ａ、３ｂを作るように、２つ以上の部分に切断するが、特に、図１は、各シート３が２つの等しい書類３ａ、３ｂを作るように切断される実施形態を示す。
【００２０】
書類は、単一の束９に積み重ねられることができるが（図１）、他の例では、受取部７は、書類を２つ以上の束９に積み重ねられるように構成される。
【００２１】
書類３ａは、全て第１の束に積み重ねられ、書類３ｂは、全て第２の束に積み重ねられ、または別法として書類３ａおよび３ｂの全てが、単一の束に重ね合わせられ、これが設定された限度に達すると、部分３ａ、３ｂ全てが、別の束に積み重ねられる。
【００２２】
排出装置８は、書類の束を、書類３が処理中に進行する方向に位置合わせされた方向に、または別法として処理中に書類３が進行する方向に対して好ましくは９０°傾いた方向に送るように構成され、これを図６の矢印Ｆによって示す。
【００２３】
装置１は、位置合わせ部を備える移送を行うためのプリンタ接続モジュール２の上流側に位置決めされたプリンタ４とインタフェース接続された制御手段１１を備える。これらの制御手段１１は、両機械で起こり得るエラー後の自動サイクルの回復をし易くし、変換された書類の一貫性を保証するように、プリンタおよび装置１の複数の装置を制御することに加えて、図２に示すように受取部７でオフセット機能を実行する。
【００２４】
重ね合わせられた書類３ａ、３ｂの束は、自動書類形成システムを実装する仕上機１０に自動的に送られることもできる。自動書類形成システムは、白紙のまたは予備印刷された書類から始めて、場合によってはいくつかの束ねられたページからなる印刷書類を得ることを可能にする。
【００２５】
この場合は、ＣＥＭのＣＳＧシリーズ型の自動冊子形成機に送るように、装置１の下流側に（切断部５による切断の後に）、搬送部が設けられることが好ましい（図７）。
【００２６】
装置１は、切断部５によって既に切断された書類３ａ、３ｂを縦方向にトリミングする、１つ以上の対の円形刃を備えたトリミング装置１３も備え、このトリミング装置１３は、切断部５と受取部７との間に配置される。
【００２７】
有利に、装置１は、書類３ａ、３ｂを縦方向に（シートがプリンタを通過する方向に）沿って切断する、例えば円形刃タイプの縦方向切断装置１５を備えるが、縦方向切断装置１５も、切断部５と受取部７との間に位置決めされる。
【００２８】
この実施形態は、特にブックオンデマンドの要件を満足させるのに適切である。
【００２９】
作り出される書類の品質を保証するために、欠陥シートを阻止しかつ廃棄する部材も適切に設けられ（図示せず）、この装置は、当業者に知られているタイプのものである。この部材は、装置１に統合され、切断部５の出口と受取部７との間に位置決めされ、プリンタを一時的に停止しなくてもよいように、束の排出およびオフセット中に変換された書類が累積されるのを可能にし、そのようにして途切れのない動作を可能にする中間収集ステーションを備える。
【００３０】
制御手段１１は、装置の動作を制御し、切断部５の迂回を実行するように（シート３が、より小さな寸法の複数部分に切断されずに、切断部を通過することを可能にするように）、また追加の搬送装置によって積み重ねの迂回を実行するように構成される。別法として、これらの非切断シートを、既述の方法で積み重ねシステムに送ることもできる。
【００３１】
制御手段１１は、装置が、プリンタ４からの指令を受け取り、プリンタ４に、装置とプリンタが首尾一貫した形で動作するのを可能にし、両方の機械で起こる可能性のあるエラー状況を含むデータを送ることを可能にする。制御手段１１には、書類に対する制御および／または機械的動作を実施するのを可能にするように、プリンタによってシートに印刷される制御コードを感知するシステムも設けられることができる。
【００３２】
本発明による搬送部の動作は、既述されかつ図示されるものから明らかであり、基本的に以下の通りである。
【００３３】
プリンタ４は、所望の情報をシート３に印刷する。
【００３４】
例えばシートは、Ａ３寸法であり、情報が、Ａ３シートの各半分に印刷される（デジタルシートプリンタによって）。
【００３５】
シート３は、次いで、位置合わせ部を備えた移送のためのプリンタ接続モジュール２によって、Ａ３シートをＡ４シートに横断方向に切断する切断部５に送られ、Ａ４シートは、受取部７によって積み重ねられる。
【００３６】
積み重ねは、既に示した方法のうちの１つによって行うことができる。
【００３７】
書類をさらに切断しなければならない場合（例えば、Ａ５サイズの書類を作るため）、縦方向切断装置１５も作動され、書類３ａ、３ｂが、所望の形式の書類を得るようにさらに縦方向に切断される。
【００３８】
書類は、プリンタに送られたシート３に正確に印刷されなければならず、次いで後続の切断ステップが、各書類を同じシートに印刷された他の書類から分離するが、この動作は、本発明の装置によって柔軟かつ迅速に実行される。
【００３９】
本発明は、また、シート取り扱い方法に関し、シート取り扱い方法は、シート３を切断して書類３ａ、３ｂを分離することと、切断された書類３ａ、３ｂを収集することと、プリンタから前記プリンタとインラインの装置に紙を直接送ることによって、後続の処理にそれら書類を利用できるようにし、それによって書類が、プリンタによって印刷され、かつ続いてそれらが印刷された順序を維持しながら取り扱われる。
【００４０】
好ましくは、本発明によれば、書類３ａ、３ｂは、印刷の順序を維持しながらそれらを水平方向に接して積み重ねることによって収集され、複合書類が連続的に作り出される。
【００４１】
シートは、等しいまたは異なった寸法の２つ以上の書類に分割され、多数の束に積み重ねられる。
【００４２】
この方法の第１の例では、切断後、それぞれの書類３ａ、３ｂが、異なった束に積み重ねられる。これは、小切手または他の書類などの寸法の小さな書類を、多数の名前を各欄が含む２つの欄を含むことができるシートに印刷するのを可能にする。本発明によって、２つ書類の束が、２つの印刷欄のそれぞれに１つずつ作り出され、各束の書類が、オフセット機能によって多数の同一の名前に基づいてグループ分けされ、後続の印刷後の作業へと渡す用意ができる。典型的な例として、小切手または他の書類を、プリンタに統合されない仕上機によって冊子に形成されるように処理することがある。
【００４３】
他の例では、切断後、全ての書類３ａ、３ｂは、全く同一の束に積み重ねられる。
【００４４】
必要な場合、図２に示すように、書類３ａ、３ｂは、オフセット機能を実施することによって積み重ねられる。これは、書類に対して設定された広がり（すなわち、寸法ｄ）を、予備設定されたパラメータに応じて、また印刷中のシートに関するプリンタの指令に関連して調整することによっても行うことができる。
【００４５】
この方法によると、切断のステップを迂回して、シートが、所望寸法の書類に変換されていることから、最初のシートの寸法より小さい寸法を有する書類だけでなく、最初の寸法を有する書類をも排出部で得ることができる。
【００４６】
本発明によると、積み重ね動作もまた、変換用切断が成されないシートに対しても、印刷シートを１回または多数回切断することによる変換から生じる書類に対しても、迂回することができる。これによって、本発明の装置が間に配置されて動作し、その主要機能が必要な他の用途にいつでも容易に渡すことができる状態を維持しながら、シートまたは書類が、プリンタに統合される他の印刷後取り扱いシステムに送られるのが可能になる。変換切断を迂回する機能と積み重ねを迂回する機能とは、書類の束が、紙の流れに対して９０°の方向に搬送される搬送装置の構成と結合されると、並外れた柔軟性および汎用性を、プリンタに完全に統合された自動印刷後仕上げシステムに与える。
【００４７】
図８Ａから図８Ｆは、単一タイトル（即ち単一ボリューム）の作業でさえもデジタル形式で印刷される、ブックオンデマンドの市場を満足させるのに特に適した、本発明の方法の実施のさらなる例を示す。
【００４８】
この点において、複数の書類３１、３２、３３、３４、３５、３６が、単一のシート３０に印刷される（図８Ａ）。
【００４９】
次いで横断方向の切断３７（図８Ｂ）ならびに縦方向またはトリミング切断３８（図８Ｃ）が、書類３１から３６（図８Ｄ）を相互に分離するために行われる。
【００５０】
最後に書類３１から３６が、印刷方法に応じて予め構成されたスキームで、相互に重ね合わされて（図８Ｅ）、仕上げられた複合書類４０を形成する（図８Ｆ）。
【００５１】
これは、個々の書類３１から３６を左から右にまたは右から左に、印刷の順序に従って移送して、イタリア国特許第１２４４７７０号に記載されるタイプの知られている装置によって、それらを相互にそれらの正確な印刷の順序で重ね合わせることによって達成される。
【００５２】
この方法で、単一の複合書類（本または分冊）からなる束を形成して、一回限りの本に対するブックオンデマンド分野を満足させることができる。
【００５３】
これは特に有利であるが、それは市場の傾向が示すところによると、現在、デジタル印刷分野では、構成作業が、作業ごとに単一の例に向かう傾向にあるからである。
【００５４】
有利に、本発明の方法を用いて、第１の作業に続く作業を作り出すことができ、それぞれが単一の複合書類からなり（明らかにこれは第１の作業にも当てはまる）、言い換えれば第１の作業に続くそれらの作業（また第１の作業も）は、単一の分冊または本さえも含むことができる。
【００５５】
実際には印刷は、書類Ｊ（即ちページＪ）が、他の書類に重ね合わされて、複合書類（即ち本または分冊）のＪ番目の書類（即ちページＪ）を形成するように実施される。
【００５６】
本発明のさらなる実施形態では、装置には、切断された書類を格納し、要求されたときに、複合書類によって実現することを可能にするように構成された、格納要素が設けられる。
【００５７】
格納要素は、多数の書類（小切手など）が、デジタルシートプリンタによって全く同一のページに印刷されるとき特に有益であり、このような場合、書類（小切手）は、通常２欄に印刷され、その後、切断によって各書類が他のものから分離され、積み重ねられる。
【００５８】
デジタルシートプリンタは、印刷される書類が、類似の特徴を有する場合にのみ、例えば各ページが、小切手しか含まない場合にのみ、高速で書類を印刷することができる。
【００５９】
それにも関わらず、他の特徴とは異なる特徴を有するいくつかの書類を備えた複合書類を提供することが必要な場合が多く、例えば、小切手冊子には、表紙ページ、９枚の小切手、新しい小切手冊子を注文する書類、およびさらなる最後の小切手を設ける場合があり、最後に小切手冊子に、裏表紙ページを備える場合がある。
【００６０】
したがって各小切手冊子を構成する書類全てを、それらが積み重ねられねばならない順序で印刷することは、プリンタの速度を落とし、その生産性を低下させる。
【００６１】
この欠点を解決するために、本発明の装置には格納要素５０が設けられる。
【００６２】
格納要素５０は、閉鎖円形経路を有し、書類を受け取りかつ格納し、要求に応じてそれらを搬送部６３に放出するように構成される。
【００６３】
詳しくは、円形経路５１は、円形に配置された複数対のローラ５２、５３によって（円形経路５１を画定するように）、また横方向に隣接したローラ間に配置された曲線を成す案内部５５、５６（円弧様の形状）によって、画定される。
【００６４】
例えば、図１１Ａ、図１１Ｂ、および図１２は、隣接したローラ５２Ａ−５２Ｂと５３Ａ−５３Ｂとの間に、案内部５５と５６がそれぞれ設けられてあることを示す。
【００６５】
これらのローラは、回転可能であり、ベルト５８およびアイドルローラ５９を介してモータ５７によって作動される。
【００６６】
案内部５５、５６は、格納要素５０に挿入された書類が、必ず少なくとも１対のローラ５２、５３の間で把持されるような寸法を有する。
【００６７】
格納要素５０は、書類を捕捉しまたはそこから排出する手段を備える。
【００６８】
捕捉／排出手段は、（図示される実施形態において）１つの旋回可能な案内部６１（６０に蝶番で連結される）を備え、案内部６１は、書類６２が格納要素５０によって捕捉される捕捉位置（図９Ａ、図９Ｂに示す）と、書類６２が格納要素５０によって排出される排出位置（図１０Ａ、図１０Ｂに示す）とをとるように構成される。
【００６９】
これらの構成では、ローラ５２、５３は、搬送部６３と同じ速度で作動されること、即ち各ローラ５２、５３の周囲は、搬送部６３と同じ速度を有することが好ましい。
【００７０】
さらに、旋回可能な案内部６１は、迂回位置（図１１Ａ、図１１Ｂに示す）をとるように構成される。
【００７１】
そのような構成（迂回位置）では、案内部６１は、格納要素５０に格納された書類が、その中で循環するのを可能にし、そのような移動をする間、書類は、捕捉も排出もされない。これは、特定の書類が特定の位置をとるように、格納要素５０内の書類がその中でのそれらの位置を変更するのを可能にする。例えば（図１１Ａを参照されたい）書類６２Ａは、それらを排出することができる状態にするように書類６２Ｂによって占拠される位置をとってもよく、あるいはさらなる書類を受け取るように、格納要素５０の一部分を解放するように移動させてもよい。この構成では、ローラ５２、５３は、搬送部６３の速度とは無関係な速度で回転することができる（即ちローラ５２、５３は、搬送部６３よりも速くすることができる）。
【００７２】
さらに迂回位置は、搬送部６３で移動する書類６２が、格納要素５０によって捕捉されずに格納要素５０に打ち勝つのを可能にする。
【００７３】
実際に、本発明の装置および方法が、特に有利であることが判明しているが、この理由は、極めて小さな印刷作業であっても、書類が極めて柔軟かつ経済的に好都合な形で形成されるのを、可能にするためである。
【００７４】
このように考えられた装置および方法は、産業タイプの現在知られている取り扱い可能な形式および印刷速度のデジタルシートプリンタの全てに適用可能であるが、多数の修正形態および変化形態をとることができ、その全てが本発明の概念の範囲に入り、さらにその詳細は、技術的に等価の要素によって置き換えることができる。
【００７５】
実際には、使用する材料および寸法を、必要条件および技術現状に応じて任意に選択することができる。
【図面の簡単な説明】
【００７６】
【図１】方法の実施形態を示す概略図である。
【図２】方法の実施形態を示す概略図である。
【図３】方法の実施形態を示す概略図である。
【図４】方法の実施形態を示す概略図である。
【図５】本発明による装置の概略図である。
【図６】書類仕上機に結合された本発明による装置の実施形態である。
【図７】書類仕上機に結合された本発明による装置の実施形態である。
【図８Ａ】本発明の方法の実施の一例である。
【図８Ｂ】本発明の方法の実施の一例である。
【図８Ｃ】本発明の方法の実施の一例である。
【図８Ｄ】本発明の方法の実施の一例である。
【図８Ｅ】本発明の方法の実施の一例である。
【図８Ｆ】本発明の方法の実施の一例である。
【図９Ａ】様々な構成の本発明による格納要素である。
【図９Ｂ】様々な構成の本発明による格納要素である。
【図１０Ａ】様々な構成の本発明による格納要素である。
【図１０Ｂ】様々な構成の本発明による格納要素である。
【図１１Ａ】様々な構成の本発明による格納要素である。
【図１１Ｂ】様々な構成の本発明による格納要素である。
【図１２】様々な構成の本発明による格納要素である。
【符号の説明】
【００７７】
１  シート取り扱い装置
３、３０  シート
３ａ、３ｂ、３１、３２、３３、３４、３５、３６、６２  書類
４  プリンタ
５、３７  切断部
７  受取部
８  排出装置
９  束
１０  仕上機
１１  制御手段
１３  トリミング装置
１５  縦方向切断装置
３８  トリミング切断部
４０  完成複合書類
５０  格納要素
５１  閉鎖経路
５２、５３  ローラ
５５、５６、６１  案内部
５７  モータ
５８  ベルト
５９  アイドルローラ
６３  搬送部
【図１】
2008018708.tif 000003
【図２】
2008018708.tif 000004
【図３】
2008018708.tif 000005
【図４】
2008018708.tif 000006
【図５】
2008018708.tif 000007
【図６】
2008018708.tif 000008
【図７】
2008018708.tif 000009
【図８Ａ】
2008018708.tif 000010
【図８Ｂ】
2008018708.tif 000011
【図８Ｃ】
2008018708.tif 000012
【図８Ｄ】
2008018708.tif 000013
【図８Ｅ】
2008018708.tif 000014
【図８Ｆ】
2008018708.tif 000015
【図９Ａ】
2008018708.tif 000016
【図９Ｂ】
2008018708.tif 000017
【図１０Ａ】
2008018708.tif 000018
【図１０Ｂ】
2008018708.tif 000019
【図１１Ａ】
2008018708.tif 000020
【図１１Ｂ】
2008018708.tif 000021
【図１２】
2008018708.tif 000022
【外国語明細書】
2008018708.tif 000023
2008018708.tif 000024
2008018708.tif 000025
2008018708.tif 000026
2008018708.tif 000027
2008018708.tif 000028
2008018708.tif 000029
2008018708.tif 000030
2008018708.tif 000031
2008018708.tif 000032
2008018708.tif 000033
2008018708.tif 000034
2008018708.tif 000035
2008018708.tif 000036
2008018708.tif 000037
2008018708.tif 000038
2008018708.tif 000039
2008018708.tif 000040
2008018708.tif 000041
2008018708.tif 000042
2008018708.tif 000043
2008018708.tif 000044
2008018708.tif 000045
2008018708.tif 000046
2008018708.tif 000047
2008018708.tif 000048
2008018708.tif 000049
2008018708.tif 000050
2008018708.tif 000051